(57)【要約】【課題】既に一部が埋設されているロケーティングワイヤに使用する際、利便性の高い接続コネクタを提供する。【解決手段】心線挿入孔３２に被覆された心線を挿入した状態で、接点針４０を挿入すると、接点針挿入孔３４に沿って接点針４０の一端側が心線挿入孔３２に導かれ、心線の被覆材を刺切して心線と接点針４０とが当接し、接点針４０の接続部４２に接続された図示しないコネクタと心線とが電気的に接続される。こうすることにより、接点針４０を挿入するという簡便な操作で、図示しないコネクタと心線とを電気的に接続することができる。【選択図】図１
0003219411.tif 000002
【実用新案登録請求の範囲】
【請求項１】
被覆された心線を挿入可能な心線挿入孔と、一端側が前記心線挿入孔に連通する接点針挿入孔と、を有する本体部と、
コネクタを接続可能な接続部を有し、前記接点針挿入孔に挿入される接点針と、
を備え、
前記接点針は、前記接点針挿入孔を貫通し、前記心線挿入孔に一部が挿入可能であることを特徴とする、
接続コネクタ。
【請求項２】
前記接点針は、側面に螺旋溝を有する螺旋部を有し、
前記接点針挿入孔の内側面は、螺旋溝を有し、
前記接点針は、前記接点針挿入孔に挿入される際、前記接点針挿入孔と螺合することにより、前記接点針の位置を調節可能であることを特徴とする、
請求項１に記載の接続コネクタ。
【請求項３】
前記接点針挿入孔は、前記心線挿入孔の側面に直交する位置に設けられていることを特徴とする、
請求項１又は２に記載の接続コネクタ。
【請求項４】
前記心線挿入孔は、複数設けられており、
複数の前記心線挿入孔は、それぞれ内径が異なることを特徴とする、
請求項１から３のいずれか１項に記載の接続コネクタ。
【請求項５】
前記接点針は、前記接点針の外径よりも大きな外径を有する把持部が設けられており、
前記把持部の側面には、凹凸が設けられていることを特徴とする、
請求項１から４のいずれか１項に記載の接続コネクタ。
【考案の詳細な説明】
【技術分野】
【０００１】
本考案は、接続コネクタに関する。
【背景技術】
【０００２】
従来から、ロケーティングワイヤの端部に発信器の接続線を接続する作業を簡便にし、更には、埋設管の探索作業が終了した後にロケーティングワイヤの端部に施される後処理を不要とすると共に、ロケーティングワイヤの端部の劣化を防止するロケーティングワイヤの端部装着カプラが知られている。例えば、特許文献１には、本体部材の挿入孔にロケーティングワイヤの端部を挿入し、挿入孔内に伸びる導電部材のネジ針部をロケーティングワイヤの端面から内部にねじ込み、ロケーティングワイヤの被膜層内の心線と端部装着カプラの導電部材を接触させ、この導電部材の本体部材頭部から突出した露出部に発信器の接続線を接続することにより、ロケーティングワイヤに信号電流を供給するロケーティングワイヤの端部装着カプラが記載されている。
【０００３】
しかしながら、上述したロケーティングワイヤの端部装着カプラは、ロケーティングワイヤの端部に取り付ける必要があるため、既に埋設されているロケーティングワイヤに対して使用する場合には、端部を探す必要があるため、利便性が十分ではないという課題があった。
【先行技術文献】
【特許文献】
【０００４】
【特許文献１】特開平７−２６４７６２号公報
【考案の概要】
【考案が解決しようとする課題】
【０００５】
本考案は、このような課題に鑑みなされたものであり、既に一部が埋設されているロケーティングワイヤに使用する際、利便性の高い接続コネクタを提供することを主目的とする。
【課題を解決するための手段】
【０００６】
本考案は、上述の主目的を達成するために以下の手段を採った。
【０００７】
本考案にかかる接続コネクタは、
被覆された心線を挿入可能な心線挿入孔と、一端側が前記心線挿入孔に連通する接点針挿入孔と、を有する本体部と、
コネクタを接続可能な接続部を有し、前記接点針挿入孔に挿入される接点針と、
を備え、
前記接点針は、前記接点針挿入孔を貫通し、前記心線挿入孔に一部が挿入可能であることを特徴とする、
ものである。
【０００８】
この接続コネクタは、心線挿入孔に被覆された心線を挿入した状態で、接点針挿入孔に接点針を挿入すると、接点針が接点針挿入孔を貫通して心線挿入孔に一部が挿入される。こうすることにより、接点針が心線挿入孔に挿入された被覆された心線の被覆を刺切し、心線と接点針の先端とが電気的に接続可能な状態となるため、接点針挿入孔に接点針を挿入するという簡単な操作で、心線と接点針とを電気的に接続することができる。
【０００９】
本考案の接続コネクタにおいて、前記接点針は、側面に螺旋溝を有する螺旋部を有し、前記接点針挿入孔の内側面は、螺旋溝を有し、前記接点針は、前記接点針挿入孔に挿入される際、前記接点針挿入孔と螺合することにより、前記接点針の位置を調節可能であることを特徴としてもよい。こうすることにより、接点針を接点針挿入孔に挿入する際、螺旋溝に沿って螺合しながら挿入されることになるため、接点針の位置を調節することができる。付言すると、螺旋部の長さによって接点針挿入孔に挿入される接点針の長さを調節することができるため、接点針が大きく挿入されることで、心線を損傷する可能性を未然に低減することができる。また、接点針挿入孔と接点針とが螺合しているため、接点針の先端が心線を被覆する被覆材を刺切する際、接点針を押圧するよりも、容易に刺切することができる。
【００１０】
本考案の接続コネクタにおいて、前記接点針挿入孔は、前記心線挿入孔の側面に直交する位置に設けられていることを特徴としてもよい。こうすることにより、心線挿入孔と接点針挿入孔とは互いに直交する位置に設けられているため、接点針は、被覆された心線の側面に垂直に近づいていくことになる。例えば、接点針が被覆された心線の側面に対して斜め方向から当接した場合には、被覆部の表面で滑ったり、接点針が十分に被覆部を貫通できなかったりして、接点針と心線とが電気的に接続できない可能性があるが、接点針の位置を心線の側面に対して垂直となる位置に接点針挿入孔で導くことにより、接点針と心線とがより確実に電気的に接続可能になる。なお、ここで、心線挿入孔の側面に直交する位置とは、心線挿入孔の断面の中心を結ぶ線と接点針挿入孔の断面の中心を結ぶ線とが互いに直交する位置にあることを意味する。
【００１１】
本考案の接続コネクタにおいて、前記心線挿入孔は、複数設けられており、複数の前記心線挿入孔は、それぞれ内径が異なることを特徴としてもよい。こうすることにより、被覆された心線の太さや被覆材の厚さに応じて心線挿入孔を選択することができるため、種々の心線に対して接点針と心線とを容易に電気的に接続することができる。
【００１２】
本考案の接続コネクタにおいて、前記接点針は、前記接点針の外径よりも大きな外径を有する把持部が設けられており、前記把持部の側面には、凹凸が設けられていることを特徴としてもよい。このように、接点針の外径よりも大きな外径を有する把持部を設けることにより、接点針を接点針挿入孔に挿入する際や，接点針と接点針挿入孔とを螺合する際、接点針の先端で心線挿入孔に挿入された心線の被覆材を刺切する際に、把持部を有しない場合と比較して、接点針を動かしやすい。加えて、この把持部の側面には凹凸が設けられているため、凹凸を有しない場合と比較して、把持部の側面を把持して動かす際、動かしやすい。
【図面の簡単な説明】
【００１３】
【図１】図１は、接続コネクタ２０の構成の概略を示す斜視図である。
【図２】図２は、接続コネクタ２０の構成の概略を示す断面図である。
【図３】図３は、接続コネクタ２０の使用方法の一例を説明する説明図である。
【考案を実施するための形態】
【００１４】
本考案にかかる接続コネクタ２０について、図１及び図２を用いて詳しく説明する。ここで、図１は、接続コネクタ２０の構成の概略を示す斜視図であり、図２は、接続コネクタ２０の構成の概略を示す断面図である。また、以下の説明において、図１中に矢印で示す方向を、それぞれ「前方」、「後方」、「右方」、「左方」、「上方」及び「下方」として説明するが、それぞれ相対的な方向を示すものであって、絶対的な方向を限定するものではない。また、以下に説明する実施形態及び図面は、本考案の実施形態の一部を例示するものであり、これらの構成に限定する目的に使用されるものではなく、本考案の要旨を逸脱しない範囲において適宜変更することができる。
【００１５】
本考案の実施の形態にかかる接続コネクタ２０は、図１に示すように、ロケーティングワイヤ等の被覆された心線１０（図３参照）を挿入可能な第一心線挿入孔３２ａ及び第二心線挿入孔３２ｂ（以下、「心線挿入孔３２」とも言う。）と、心線挿入孔３２と連通し、接点針４０が挿入可能な接点針挿入孔３４と、を備えた本体部３０と、図示しないコネクタを接続可能な接続部４２を備えた接点針４０と、からなる。この接続コネクタ２０は、心線挿入孔３２に心線を挿入した状態で、接点針４０を接点針挿入孔３４に挿入すると、接点針挿入孔３４と心線挿入孔３２とが連通しているため、接点針４０の先端部が心線挿入孔３２に侵入し、心線１０の被覆を刺切し、心線１０と接点針４０の先端とが互いに当接し、電気的に接続されることになる。こうすることにより、接点針４０に設けられた接続部４２に接続された図示しないコネクタと心線１０とを容易に接続することができる。
【００１６】
本体部３０は、金属製の部材であり、図１中の前側面から後側面に貫通する第一心線挿入孔３２ａと、右側面から左側面に貫通する第二心線挿入孔３２ｂとが、それぞれ設けられている。言い換えると、第一心線挿入孔３２ａは、第二心線挿入孔３２ｂの側面に直交する位置、すなわち、第一心線挿入孔３２ａの断面の中心線と第二心線挿入孔３２ｂの中心線とが互いに直交する位置に設けられている。また、本体部３０の上面には、内側に螺旋溝を有する接点針挿入孔３４が設けられており、この接点針挿入孔３４は、第一心線挿入孔３２ａ及び第二心線挿入孔３２ｂと連通している。言い換えると、図２に示すように、第一心線挿入孔３２ａと第二心線挿入孔３２ｂとが交わる位置の上面側の側面に接点針挿入孔３４が直角となる位置、すなわち、第一心線挿入孔３２ａの断面の中心線と第二心線挿入孔３２ｂの断面の中心線、接点針挿入孔３４の断面の中心線とが、互いに直交する位置に、接点針挿入孔３４が設けられている。このため、第一心線挿入孔３２ａと第二心線挿入孔３２ｂのいずれに心線１０が挿入された場合であっても、接点針挿入孔３４に接点針４０を挿入することで、心線１０の側面に直角となる位置に接点針４０を導くことができる。なお、図中では、接点針挿入孔３４の内側の螺旋溝は省略した。
【００１７】
また、本体部３０の右側面及び左側面は、それぞれ平坦面で形成されている。このため、本体部３０を支持する際、この平坦面を支持することで、平坦面でない場合と比較して、支持しやすい。
【００１８】
接点針４０は、一端側（図１中下側）に針状部４４を、他端側（図１中上側）に図示しないコネクタを接続可能な接続部４２を有し、針状部４４と接続部４２との間は螺旋溝を有する螺旋部４６を有している。この接点針４０は、側面の螺旋溝が接点針挿入孔３４の内側に設けられた螺旋溝と互いに螺合することにより、接点針挿入孔３４に螺合しながら移動し、固定することができる。また、接点針４０の他端側に設けられている把持部４８は、接点針４０の外径よりも大きな外径を有しており、把持部４８の側面（図１中、前後左右方向に位置する面）には、複数の溝からなる凹凸を有している。こうすることにより、接点針４０の側面を把持して回転させる場合と比較して、より容易に回転させることができる。
【００１９】
また、把持部４８は、螺旋部４６と螺合しており、把持部４８の位置が調節可能な状態となっている。このため、把持部４８を螺旋部４６の所定の位置に螺合して位置決めすることで、把持部４８の下端から針状部４４までの長さが決まる。言い換えると、接点針４０を接点針挿入孔３４に挿入し螺合した際、把持部４８の下端と本体部３０の上面とが当接することで、接点針４０の接点針挿入孔３４への挿入が規制されるため、把持部４８の螺合位置を調節することで、接点針４０が挿入される位置を調節することができる。
【００２０】
このとき、把持部４８の螺合位置は、接点針４０と接点針挿入孔３４とを螺合した際、接点針４０の一端側（針状部４４の先端）から第一心線挿入孔３２ａの下側面との距離が、第一心線挿入孔３２ａの内径より短く、第一心線挿入孔３２ａの内径の二分の一よりも大きくなる位置まで螺合できる長さに調節されている。すなわち、接点針４０を接点針挿入孔３４に螺合した際、接点針４０の一端側は、第一心線挿入孔３２ａに一部が挿入されるが、第一心線挿入孔３２ａの下面に到達しない位置となるように、把持部４８が取り付けられている。こうすることにより、接点針４０を螺合した際、接点針４０の先端と第一心線挿入孔３２ａの下面とが当接し、接点針４０の先端が破損する可能性を未然に防ぐことができる。
【００２１】
次に、接続コネクタ２０の使用方法について、図３を用いて説明する。ここで、図３は、接続コネクタ２０の使用方法の一例を示す説明図である。接続コネクタ２０を使用する際には、図３（Ａ）に示すように、接点針４０を回転し、接点針４０の一端側が心線挿入孔３２に挿入されていない状態で、心線挿入孔３２に心線１０を挿入する。
【００２２】
次に、接点針４０を回転させると、図３（Ｂ）に示すように、接点針４０は螺旋溝に沿って一端側方向に進み、接点針４０が心線挿入孔３２に侵入し、心線１０の表面を被覆する被覆材１２と当接する。この状態で更に接点針４０を回転させると、針状部４４の先端が被覆材１２を刺切し、接点針４０の一端側と心線１０とが当接する。こうすることにより、接点針４０を回転させるという容易な操作によって、心線１０と図示しないコネクタとを容易に接続することができる。
【００２３】
このとき、心線挿入孔３２と接点針挿入孔３４とは互いに直交する位置に設けられているため、接点針挿入孔３４によって導かれる接点針４０は、心線挿入孔３２の側面に直交する位置、すなわち、心線挿入孔３２に挿入された心線１０の側面に直交する位置で心線１０の側面に直交することになる。こうすることにより、接点針４０が心線１０の被覆材１２を刺切する際、被覆材１２の表面を刺切し、接点針４０と心線１０とが当接しない可能性を未然に低減することができる。
【００２４】
また、螺旋部４６は、接点針４０が接点針挿入孔３４に挿入された際、接点針４０の一端側から第一心線挿入孔３２ａの下側面との距離が、第一心線挿入孔３２ａの内径より短く、第一心線挿入孔３２ａの内径の二分の一よりも大きくなる位置まで螺合できる長さで形成されているため、接点針４０を螺合して接点針挿入孔３４に挿入した際、接点針４０が第一心線挿入孔３２ａの下面に当接し、接点針４０が破損する可能性を未然に低減することができる。
【００２５】
以上詳述した本実施の形態の接続コネクタ２０によれば、心線挿入孔３２に被覆された心線１０を挿入した状態で、接点針４０を挿入すると、接点針挿入孔３４に沿って接点針４０の一端側が心線挿入孔３２に導かれ、心線１０の被覆材１２を刺切して心線１０と接点針４０とが当接し、接点針４０の接続部４２に接続された図示しないコネクタと心線１０とが電気的に接続される。こうすることにより、接点針４０を挿入するという簡便な操作で、図示しないコネクタと心線１０とを電気的に接続することができる。
【００２６】
また、接点針４０は、側面に螺旋溝を有する螺旋部４６を有し、接点針挿入孔３４に挿入された際、接点針挿入孔３４の内側面に設けられた螺旋溝と螺合することにより、接点針４０の位置を調節することで、接点針４０が心線挿入孔３２の下面に当節して接点針４０が破損する可能性を未然に防ぐことができる。また、接点針４０と接点針挿入孔３４とが螺合することで、針状部４４の先端で心線１０の被覆材１２を刺切する際、刺切しやすい。加えて、接点針４０は、把持部４８の下面と本体部３０の上面とが当接する位置まで挿入可能であるため、把持部４８の螺合位置を調節することで、接点針４０が心線挿入孔３２の下面に当節して接点針４０が破損する可能性を未然に防ぐことができる。
【００２７】
更に、接点針挿入孔３４は、心線挿入孔３２の側面に直交する位置に設けられているため、接点針４０を接点針挿入孔３４に挿入することで、接点針４０が心線挿入孔３２に挿入された心線１０の側面に垂直となる位置に導かれる。こうすることにより、接点針４０と心線１０とがより確実に電気的に接続可能になる。
【００２８】
更にまた、心線挿入孔３２は、第一心線挿入孔３２ａと第二心線挿入孔３２ｂの異なる内径を有するものが複数形成されているため、心線１０の種類や被覆材１２の厚さ等、種々の状況に応じて心線１０を挿入する心線挿入孔３２を使い分けることで、種々の形状の心線１０に対して、容易に図示しないコネクタと心線１０とを電気的に接続することができる。
【００２９】
そして、接点針４０は、接点針４０の外径よりも大きな外径を有し、側面に凹凸を有する把持部４８を有しているため、接点針４０を回転させる際、把持部４８を有しない場合と比較して、より回転させやすい。言い換えると、心線１０と図示しないコネクタとを電気的に接続する際、容易に接続することができる。
【００３０】
なお、本考案は上述した実施形態に何ら限定されることはなく、本考案の技術的範囲に属する限り種々の態様で実施し得ることはいうまでもない。
【００３１】
例えば、上述した実施の形態では、把持部４８の下端の位置で接点針４０の先端の位置を調節するものとしたが、接点針４０の移動を規制する規制部材を別途設けることにより、接点針４０の先端と心線挿入孔３２の下面とが当接することを未然に防いでもよい。こうすることにより、上述した実施の形態と同様の効果が得られる。
【００３２】
上述した実施の形態では、接点針４０の一端側から第一心線挿入孔３２ａの下側面との距離が、第一心線挿入孔３２ａの内径より短く、第一心線挿入孔３２ａの内径の二分の一よりも大きくなる位置まで螺合できる長さで形成するものとしたが、この位置に限定されるものではなく、接点針４０の一端側（針状部４４の先端）から第一心線挿入孔３２ａの下側面との距離が、第一心線挿入孔３２ａの内径より短くなる長さであってもよい。こうすることにより、接点針４０の先端と心線挿入孔３２に挿入された心線とを確実に当接させ、接続部４２に接続された図示しないコネクタと心線１０とを電気的に接続することができる。
【００３３】
上述した実施の形態では、把持部４８の側面は上下方向に溝部を設けることにより凹凸を有するものとしたが、凹凸の形状は公知の種々の形状であってもよいし、凹凸を有しなくともよい。この場合も、上述した実施の形態と同様の効果が得られる。
【００３４】
上述した実施の形態では、本体部３０の右側面及び左側面は平坦面であるものとしたが、右側面及び左側面に加え、前側面及び後側面も平坦面であってもよい。この場合も、上述した実施の形態と同様の効果が得られる。
【産業上の利用可能性】
【００３５】
上述した実施の形態で示すように、ロケーティングワイヤ用の接続コネクタとして用いることができる。
【符号の説明】
【００３６】
１０…心線、１２…被覆材、２０…接続コネクタ、３０…本体部、３２…心線挿入孔、３２ａ…第一心線挿入孔、３２ｂ…第二心線挿入孔、３４…接点針挿入孔、４０…接点針、４２…接続部、４４…針状部、４６…螺旋部、４８…把持部。
【図１】
0003219411.tif 000003
【図２】
0003219411.tif 000004
【図３】
0003219411.tif 000005